(57)【要約】【課題】浴槽のフランジ部裏の突出部を気密部材に対して垂直に落し込むことを容易とし、防水パン内の気密性をより確実に確保する。【解決手段】浴槽１は、内槽部の上端縁から外方側に突出形成されたフランジ部１２と、該フランジ部１２の裏側から下方側に突出形成された突出部１７とを有し、該浴槽１の下側に配置される防水パン２は、底面部の周縁から上方に立ち上がる囲い壁２２を有するとともに、該囲い壁２２の上端部２２ａには、気密部材４０と、該気密部材４０よりも高い位置にガイド面５ａが形成されたガイド部５とが配置され、該ガイド部５は、浴槽１を防水パン２に設置する際、当該ガイド部５上に載置された状態の浴槽１の突出部１７がガイド面５ａから落下するのを規制し、動かされた当該浴槽１が所定の設置位置に達したときに当該突出部１７を気密部材４０の上面の所定位置にガイドする。【選択図】図７
2011245132.tif 000002
【特許請求の範囲】
【請求項１】
浴槽を防水パンに設置するための構造であって、
前記浴槽は、内槽部の上端縁から外方側に突出形成されたフランジ部と、該フランジ部の裏側から下方側に突出形成された突出部とを有し、
該浴槽の下側に配置される前記防水パンは、底面部と、該底面部の周縁から上方に立ち上がる囲い壁とを有するとともに、該囲い壁の上端部には、前記浴槽と前記防水パンとの間の隙間を閉塞するための気密部材と、該気密部材よりも高い位置にガイド面が形成されたガイド部とが配置され、
該ガイド部は、前記浴槽を前記防水パンに設置する際、当該ガイド部上に載置された状態の前記浴槽の前記突出部が前記ガイド面から落下するのを規制し、動かされた当該浴槽が所定の設置位置に達したときに当該突出部が前記ガイド面から落下するのを許容して当該突出部を前記気密部材の上面の所定位置にガイドするものであることを特徴とする浴槽の設置構造。
【請求項２】
前記防水パンに、前記気密部材よりも高い上縁を有する立ち上がり部が前記気密部材の外側に設けられており、当該立ち上がり部は、前記浴槽を前記防水パンに設置する際、当該立ち上がり部上に干渉した状態の前記浴槽の前記突出部が当該立ち上がり部から落下するのを規制し、動かされた当該浴槽が所定の設置位置に達したときに前記突出部が当該突出部から前記気密部材の上面に落下するのを許容することを特徴とする請求項１に記載の浴槽の設置構造。
【請求項３】
前記ガイド面の端が前記気密部材の幅方向略中央に位置している、請求項１または２に記載の浴槽の設置構造。
【請求項４】
前記気密部材は、前記囲い壁の上端部に周回するように配置される長尺物であり、前記ガイド部は、当該気密部材の一部に圧接し、当該圧接される前記気密部材の幅方向略中央に前記ガイド面の端を位置させることを特徴とする請求項３に記載の浴槽の設置構造。
【請求項５】
前記ガイド部のガイド面は、前記立ち上がり部の上端以下の高さに形成されていることを特徴とする請求項１から４のいずれか一項に記載の浴槽の設置構造。
【請求項６】
前記ガイド部は、前記防水パンのコーナー部に設けられていることを特徴とする請求項１から５のいずれか一項に記載の浴槽の設置構造。
【請求項７】
前記ガイド部は、前記浴槽の前記フランジ部の裏側に形成されている裏リブとの干渉を避ける位置および高さに形成されていることを特徴とする請求項６に記載の浴槽の設置構造。
【請求項８】
内槽部の上端縁から外方側に突出形成されたフランジ部と、該フランジ部の裏側から下方側に突出形成された突出部とを有する浴槽を、
該浴槽の下側に配置される前記防水パンであって、底面部と、該底面部の周縁から上方に立ち上がる囲い壁と、該囲い壁の上端部に配置された気密部材と、該気密部材よりも高い位置にガイド面が形成されたガイド部と、を有する防水パンに設置する際、
前記突出部の少なくとも一部が前記ガイド部上に載置された状態となるように前記浴槽を防水パン上に置き、
該防水パン上で前記浴槽を移動させ、
前記ガイド部のガイド面の端から前記突出部を落下させ、前記浴槽の前記突出部を前記気密部材の上面の所定位置にガイドすることを特徴とする浴槽の設置方法。
【発明の詳細な説明】
【技術分野】
【０００１】
本発明は、浴槽の設置構造および設置方法に関する。
【背景技術】
【０００２】
従来、浴室ユニットとして、底面と囲い壁を有する防水パンに浴槽を設置し、当該浴槽のフランジ部（浴槽の内壁の上端から外周側へせり出す部分）にユニット等の壁パネルを設置する構造のものが利用されている。また、浴槽のフランジ部の裏側には下方への突出部が形成されており、該突出部と防水パンの囲い壁の上端部との間に気密部材（パッキン）が挟み込まれている。突出部と囲い壁とがこの気密部材を押し潰した状態で挟み込むことにより、浴槽と防水パンとの間の隙間が気密に閉塞され、浴槽の外側と囲い壁の内側との間の湿気が建築躯体側に漏出するのを抑制することができる（例えば特許文献１参照）。
【０００３】
また、従来、浴室ユニットを施工するにあたっては、浴室内に固定された状態の防水パンに対し、作業者が浴槽を防水パン上まで持ち運び、およそ所定の位置にて、突出部と防水パンの囲い壁との間で気密部材を挟み込むように当該浴槽を位置合わせしながら下ろすというような設置態様が一般に多いというのが実情である。
【先行技術文献】
【特許文献】
【０００４】
【特許文献１】特開２００９−９１８１２号公報
【発明の概要】
【発明が解決しようとする課題】
【０００５】
しかしながら、ユニットバスの他の部材に比べ重い浴槽を持ち運びするのは困難な作業であり、フランジ部裏の突出部を気密部材に対して垂直に落し込ませることも大変困難な作業である。また、設置作業がうまくいかず、気密部材に対してフランジ部裏の突出部を垂直に落し込ませることができなかった場合には、気密部材を十分に押し潰すことができないため、浴槽のフランジ部と防水パンの囲い壁との間の隙間が気密に閉塞されず、浴槽の外側と囲い壁の内側との間の湿気が建築躯体側に漏出してしまうおそれがある。
【０００６】
そこで、本発明は、浴槽のフランジ部裏の突出部を気密部材に対して垂直に落し込むことが容易であり、防水パン内の気密性をより確実に確保することを可能にする浴槽の設置構造および設置方法を提供することを目的とする。
【課題を解決するための手段】
【０００７】
かかる課題を解決するべく本発明者は、まずは浴槽設置の実情に着目して種々の検討を行った。通常、防水パンおよび浴槽は浴室内の壁付近に取り付けられるから、防水パンに浴槽を設置するにあたっては、当該浴槽と壁との間に作業者が介入しながら作業することができず、したがって作業者は、浴室中央から壁を向いた姿勢で浴槽を持ち運ぶしかない。この場合、浴槽の相対位置を目視で確認しながらの作業は困難であるため、例えば事前に所定位置をある程度確認しておき、所定位置だと思われるあたりで位置合わせしながら浴槽をゆっくりと下ろす、あるいは浴槽をいったん下ろしてから浴槽位置を微調整するといったように設置作業に手間を要する。当該設置作業を作業者一人で行わなければならないのであればその手間は尚更である。ところが、浴槽設置にはこのように手間を要するにもかかわらず、防水パン内の気密性を確実に確保するための措置は講じられていないため、各作業者の熟練度によっては気密性に違いが生じうる。
【０００８】
上述のごとき検討結果に基づき、防水パン内の気密性をいかに確保するかについてさらに検討を重ねた本発明者は、課題の解決に結び付く知見を得るに至った。本発明はかかる知見に基づくものであり、浴槽を防水パンに設置するための構造であって、浴槽は、内槽部の上端縁から外方側に突出形成されたフランジ部と、該フランジ部の裏側から下方側に突出形成された突出部とを有し、該浴槽の下側に配置される防水パンは、底面部と、該底面部の周縁から上方に立ち上がる囲い壁とを有するとともに、該囲い壁の上端部には、浴槽と防水パンとの間の隙間を閉塞するための気密部材と、該気密部材よりも高い位置にガイド面が形成されたガイド部とが配置され、該ガイド部は、浴槽を防水パンに設置する際、当該ガイド部上に載置された状態の浴槽の突出部がガイド面から落下するのを規制し、動かされた当該浴槽が所定の設置位置に達したときに当該突出部がガイド面から落下するのを許容して当該突出部を気密部材の上面の所定位置にガイドするものであることを特徴とする。
【０００９】
かかる浴槽の設置構造におけるガイド部は、作業者が浴槽を防水パン内の大まかな位置に位置決めした際に、浴槽のフランジ部裏の突出部の下端が当該ガイド部の上面（ガイド面）に当接して載置されるように配置されている。作業者にとってみれば、突出部の下端がガイド部のガイド面に載置された状態で浴槽を所定の設置位置に移動（例えばスライド）させることで、突出部の下端が気密部材の上面に落下するようにガイドすることが可能である。これによれば、作業者の熟練度、浴槽の大きさや形状の違いなどにかかわらず、当該フランジ部裏の突出部を気密部材に対して垂直に落し込むことが容易となり、防水パン内の気密性をより確実に確保することができるようになる。このことは、浴槽設置態様の実情、すなわち、浴室内に固定された状態の防水パンに対し、作業者が浴槽を防水パン上まで持ち運び、およそ所定の位置にて気密部材を挟み込むように当該浴槽を位置合わせしながら下ろすというような設置態様の実情に照らせば、気密部材を目視できなくても浴槽を所定位置に設置することが可能となる点で好適であり、仮に作業者一人であっても確実な設置作業が可能になる点でも好適である。
【００１０】
しかも、設置時、浴槽は、所定の設置位置に達するまではガイド面によって落下が規制され、フランジ部裏の突出部がガイド部上に載置された状態にあることから、その間は全体が傾いていたり、移動中にがたついたりする。このような不安定な状態にあれば、作業者は浴槽が所定の設置位置に達していないこと、つまりは浴槽の設置が完了していないことを容易に認識することができる。
【００１１】
このような浴槽の設置構造においては、防水パンに、気密部材よりも高い上縁を有する立ち上がり部が気密部材の外側に設けられており、当該立ち上がり部は、浴槽を防水パンに設置する際、当該立ち上がり部上に載置された状態（干渉した状態）の浴槽の突出部が当該立ち上がり部から落下するのを規制し、動かされた当該浴槽が所定の設置位置に達したときに突出部が当該突出部から気密部材の上面に落下するのを許容することが好ましい。例えば、設置時、浴槽をガイド部よりも奥に載せてしまった場合でも、当該浴槽を手前にスライドさせて引き出せばフランジ部裏の突出部を気密部材に対して垂直に落し込むことができ、防水パン内の気密性をより確実に確保することができる。浴槽が左右方向にずれた場合でも同様にしてフランジ部裏の突出部を気密部材に対して垂直に落し込むことができる。
【００１２】
また、浴槽の設置構造においては、ガイド面の端が気密部材の幅方向略中央に位置していることが好ましい。このようなガイド部は、浴槽のフランジ部裏の突出部を、気密部材の幅方向略中央にガイドする。
【００１３】
また、気密部材は、囲い壁の上端部に周回するように配置される長尺物であり、ガイド部は、当該気密部材の一部に圧接し、当該圧接される気密部材の幅方向略中央にガイド面の端を位置させるものが好ましい。この場合、突出部の下端を、（ガイド部から圧接されていない）気密部材の幅方向略中央に垂直に落し込むことがより容易となり、防水パン内の気密性をより確実に確保することができる。
【００１４】
さらに、ガイド部のガイド面は、立ち上がり部の上縁以下の高さに形成されていることが好ましい。この場合、浴槽の一部がガイド部の上面（ガイド面）に引っかかった状態となるのを回避することができる。
【００１５】
ガイド部は、防水パンのコーナー部に設けられていることが好ましい。防水パンのコーナー部は干渉する部材が少ないことから、こうした場合には浴槽の形状に対する制約を少なくすることができる。
【００１６】
また、かかる設置構造において、ガイド部は、浴槽のフランジ部の裏側に形成されている裏リブとの干渉を避ける位置および高さに形成されていることが好ましい。浴槽において所要の強度を確保するための一手段として、フランジの裏側に補強用の裏リブが例えば放射状に形成されることがある。このような場合、これら補強用の裏リブとの干渉を避けるようにガイド部が形成されていれば、既存の浴槽（の裏リブ）に設計変更を来すことなく本発明を適用することができる。
【００１７】
また、本発明にかかる浴槽の設置方法は、内槽部の上端縁から外方側に突出形成されたフランジ部と、該フランジ部の裏側から下方側に突出形成された突出部とを有する浴槽を、該浴槽の下側に配置される防水パンであって、底面部と、該底面部の周縁から上方に立ち上がる囲い壁と、該囲い壁の上端部に配置された気密部材と、該気密部材よりも高い位置にガイド面が形成されたガイド部と、を有する防水パンに設置する際、突出部の少なくとも一部がガイド部上に載置された状態となるように浴槽を防水パン上に置き、該防水パン上で浴槽を移動させ、ガイド部のガイド面の端から突出部を落下させ、浴槽の突出部を気密部材の上面の所定位置にガイドすることを特徴とするものである。
【００１８】
ガイド部は、作業者が浴槽を防水パン内の大まかな位置に位置決めした際に、浴槽のフランジ部裏の突出部の下端が当該ガイド部の上面（ガイド面）に当接して載置されるように配置されている。作業者は、突出部の下端がガイド部のガイド面に載置された状態で浴槽を所定の設置位置に移動（例えばスライド）させることで、突出部の下端が気密部材の上面に落下するようにガイドすることが可能である。これによれば、作業者の熟練度、浴槽の大きさや形状の違いなどにかかわらず、当該フランジ部裏の突出部を気密部材に対して垂直に落し込むことが容易となり、防水パン内の気密性をより確実に確保することができるようになる。
【００１９】
しかも、設置時、浴槽は、所定の設置位置に達するまではガイド面によって落下が規制され、フランジ部裏の突出部がガイド部上に載置された状態にあることから、その間は全体が傾いていたり、移動中にがたついたりする。このような不安定な状態にあれば、作業者は浴槽が所定の設置位置に達していないこと、つまりは浴槽の設置が完了していないことを容易に認識することができる。
【発明の効果】
【００２０】
本発明によれば、フランジ部裏の突出部を気密部材に対して垂直に落し込むことが容易となり、防水パン内の気密性をより確実に確保することができるようになる。
【図面の簡単な説明】
【００２１】
【図１】浴室ユニットの一例を示す平面図である。
【図２】図１のII-II線における浴槽および防水パンの断面図である。
【図３】図１のIII-III線における浴室ユニット等の断面を参考として示す図である。
【図４】浴槽のフランジ部の突出部と囲い壁の上端部、およびこれらの間に介在する気密部材の斜視図である。
【図５】図４に示した突出部と上端部とが気密部材を挟み込んだ様子を示す斜視図である。
【図６】防水パンの囲い壁のコーナー部に設けられた台座形状のガイド部の一例を示す斜視図である。
【図７】ガイド部の付近における浴槽のフランジ部の突出部、囲い壁の上端部、気密部材などの断面図である。
【図８】防止パン上の所定の設置位置に浴槽が設置された様子を示す平面図である。
【図９】防止パン上の所定の設置位置よりも奥側に浴槽が載置された様子を示す平面図である。
【図１０】防止パン上の所定の設置位置よりも左側に浴槽が載置された様子を示す平面図である。
【図１１】防止パン上の所定の設置位置よりも手前側に浴槽が載置された様子を示す平面図である。
【図１２】突出ガイド部が形成されたガイド部とその周辺部の構成例を示す平面図である。
【図１３】突出ガイド部のうちパッキンよりも高い部分のみを奥側へ突出させた形状のガイド部およびその周辺部の構成例を示す断面図である。
【図１４】フランジ部の裏側に裏リブ（ただし図示しているのはその一部）が形成された浴槽の平面図である。
【図１５】図１４のXV-XV線における浴槽の断面図である。
【図１６】図１４のXVI-XVI線における浴槽の断面図である。
【図１７】図１４のXVII-XVII線における浴槽の断面図である。
【発明を実施するための形態】
【００２２】
以下、本発明の構成を図面に示す実施の形態の一例に基づいて詳細に説明する。
【００２３】
図１等に本発明にかかる浴槽の設置構造および設置方法の例を示す。本発明にかかる設置構造は浴槽１を防水パン２に設置するための構造であって、ガイド部５上に載置された状態の浴槽１の突出部１７がガイド面５ａから落下するのを規制し、動かされた当該浴槽１が所定の設置位置に達したときに当該突出部１７がガイド面５ａから落下するのを許容して当該突出部１７をパッキン（気密部材）４０の上面の所定位置にガイドするものである。以下においてはまず浴室ユニットの各部について説明し、その後、浴槽１の設置構造について詳細に説明する。
【００２４】
建築物内において浴室ユニットが設置されるスペースは、洗い場スペースと浴槽設置スペースとに大きく分けられる（図１参照）。洗い場スペースには洗い場床４が設置される。浴槽設置スペースは洗い場スペースに隣接し、その建築物床面上には、支持部材３が設置され、その支持部材３の上方に防水パン２と浴槽１が設置される（図２参照）。
【００２５】
支持部材３は、柱状の金属材（鋼材）を縦横に組み合わせて構成され、浴槽水を溜めた状態で且つ入浴者が存在している状態の浴槽荷重を支えるのに十分な強度および耐久性を有する。
【００２６】
支持部材３の上には防水パン２が支持されている。防水パン２は、当該防水パン２の外部に湯水を漏出させない防水性、および浴槽１に貯留された湯の保温性を実現するための断熱性を有し、例えば発泡系の断熱材からなる。また、防水パン２は、支持部材３の上に支持される底面部２１と、この底面部２１の周囲に設けられて上方に立ち上がるように延在する囲い壁２２とを有する深底パン状に形成されている（図２等参照）。
【００２７】
防水パン２の底面部２１の上方であって且つ囲い壁２２の内側には浴槽１が設置される。浴槽１は、浴槽水を貯留可能な内槽部１１、内槽部１１の上端縁部の周囲に、外方側に突出するように形成されたフランジ部１２、排水孔１４等を有する（図３等参照）。図１等に示す本実施形態の浴槽１は、平面視形状が略四角形（もしくは長円形状等でもよい）であり、一対の長辺側浴槽壁のうちの一方を洗い場側に向けて設置されている。
【００２８】
浴槽１のフランジ部１２において、洗い場側以外の３辺部の上には壁パネル載置部１３が設けられている。壁パネル載置部１３は、フランジ部１２の外周側の縁部に設けられた例えばアングル部材であり、これら壁パネル載置部１３には壁パネル６０の下端が支持される（図３参照）。
【００２９】
浴槽１の底部１５における例えば四隅近傍には、支持脚１６が設けられている（図２参照）。本実施形態における浴槽１の支持脚１６は、防水パン２の上ではなく、防水パン２とは別に設けられた浴槽脚受け部材３０の上にて支持されている。
【００３０】
防水パン２の底面部２１には貫通孔部２１ａが形成され、その貫通孔部２１ａには上述の浴槽脚受け部材３０が水密に取り付けられている（図２参照）。本実施形態の浴槽脚受け部材３０は、防水パン２の底面部２１に固定された支持部材設置部３１と、この支持部材設置部３１に対して螺着して取り付けられた浴槽支持脚載置部３２とを有している。浴槽脚受け部材３０は、浴槽１の支持脚１６の個数に対応した数が設置される。
【００３１】
支持部材設置部３１の下端部は、防水パン２の底面部２１の裏側に露出し、支持部材３上に載置された状態で支持されている（図２参照）。浴槽支持脚載置部３２の上端部は防水パン２の底面部２１の上方の空間に露出し、その上に浴槽１の支持脚１６が支持されている。かかる構成の場合、浴槽１、そのフランジ部１２の上に支持された壁パネル６０、内槽部１１に溜められた湯水、入浴者などの荷重は、浴槽脚受け部材３０を介して支持部材３に伝わる。浴槽脚受け部材３０は、例えば発泡系断熱材が用いられている防水パン２より強度が大きい樹脂や金属材料から構成されており、上記荷重に対する十分な強度および耐久性を備えている。
【００３２】
また、浴槽１のフランジ部１２の裏側には下方に例えばリブ状に突出した突出部（以下、気密用リブともいう）１７が設けられ、該気密用リブ１７と囲い壁２２の上端部２２ａとの間には、弾性変形可能であり且つ気密性を有する例えばゴム材料からなるパッキン（気密部材）４０が介在している（図４、図５等参照）。本実施形態のパッキン４０は、囲い壁２２の上端部２２ａに周回するように配置される長尺物であり、囲い壁２２の上端部２２ａの上に貼着されている。気密用リブ１７の形状は特に限定されないが、例えば本実施形態では、浴槽１の内槽部１１の周囲に、パッキン４０と同様に周回する形状としている。また、本実施形態の気密用リブ１７はパッキン４０の幅よりも薄くなるように形成されている。さらに、本実施形態の気密用リブ１７は、その下端を結ぶと面一となるように同一水平面状に形成されている。
【００３３】
続いて、浴槽１の設置構造について説明する。
【００３４】
防水パン２の囲い壁２２の上端部２２ａには上述したようにパッキン４０が設けられ、さらに、該パッキン４０よりも高い位置にガイド面５ａが形成された、例えば台座形状のガイド部５が設けられている（図６、図７参照）。ガイド部５は、当該ガイド部５上に載置された状態の浴槽１の気密用リブ１７がガイド面５ａから落下しないよう保持した状態を保ち、作業者（図８参照）によって動かされた当該浴槽１が所定の設置位置に達したとき、気密用リブ１７がガイド面５ａから落下するのを許容する。ガイド面５ａの端まで移動した気密用リブ１７は、当該ガイド面５ａの端を滑落し、パッキン４０の上面の所定位置に垂直に落し込まれる（図７等参照）。
【００３５】
ガイド部５の設置位置は特に限定されないが、本実施形態では、防水パン２の壁パネル６０寄り（洗い場床４から遠い側）の２箇所のコーナー部のそれぞれに設けている（図８等参照）。
【００３６】
また、本実施形態では、ガイド部５のガイド面５ａを、立ち上がり部２４の上縁２４ａ以下の高さに形成している（図７等参照）。この場合、浴槽１の一部がガイド部５の上面（ガイド面５ａ）に引っかかった状態となるのを回避することができる。なお、浴槽１のフランジ部１２の裏側に裏リブ１８が形成されている場合、当該裏リブ１８は、一般的には気密用リブ１７と同じ突出量、またはこれを上回る突出量となるように形成されている。こうした場合、ガイド部５に引っかかった状態となるのは特に作業者から直接目視することができない当該裏リブ１８であるが、本実施形態によればこのような事態を回避することができる。
【００３７】
また、本実施形態では、防水パン２に、パッキン４０よりも高い上縁２４ａを有する立ち上がり部２４を当該パッキン４０の外側となる位置に設けている（図６、図７参照）。この立ち上がり部２４は、浴槽１を防水パン２に設置する際、浴槽１が例えば所定の設置位置よりも奥側にあったり（図９参照）、左側にあったりした場合（図１０参照）に、浴槽１の気密用リブ１７に干渉した状態となる。このような状態の浴槽１を作業者が所定位置まで移動させると、気密用リブ１７は立ち上がり部２４と干渉した状態を脱し、当該立ち上がり部２４から落下してパッキン４０の上面に落し込まれる。
【００３８】
ここで、浴槽１の設置態様の例を説明すると以下のとおりである（図８〜図１１参照）。なお、以下でいう手前、奥、右、左は、防水パン２上に浴槽１を運び込む際の作業者の位置を基準としている（図８参照）。
【００３９】
まず、作業者が浴槽１を持って防水パン２の短手方向の手前側から奥側へと運び、大まかに位置決めした状態で防水パン２上に置いた結果、作業者からみて当該浴槽１が所定の設置位置（図８参照）よりも奥側に位置した状態となった場合（図９参照）、浴槽１のフランジ部１２裏の気密用リブ１７は、図９中の矢印部分において防水パン２の立ち上がり部２４に干渉した状態（載置した状態）となっている。この場合、作業者は、当該浴槽１をスライドさせながら手前へと徐々にずらせばよい。浴槽１の気密用リブ（突出部）１７のうち奥側に位置する突出部（壁パネル６０に沿った突出部）が、防水パン２の奥側の立ち上がり部２４を超えて手前側まで移動すると、立ち上がり部２４との干渉状態が脱して浴槽１が自然に落下する。このとき、当該気密用リブ１７をパッキン４０に対して垂直に落し込むことができるから、防水パン２内の気密性をより確実に確保することができる（図８、図９参照）。
【００４０】
また、作業者が浴槽１を大まかに位置決めした状態で防水パン２上に置いた結果、作業者からみて当該浴槽１が所定の設置位置（図８参照）よりも左側に位置した状態となった場合（図１０参照）、浴槽１のフランジ部１２裏の気密用リブ１７は、図１０中の矢印部分において防水パン２の立ち上がり部２４に干渉した状態（載置した状態）となり、さらに、図１０中の別矢印部分において、ガイド部５に干渉した状態（載置した状態）となっている。この場合、作業者は、当該浴槽１をスライドさせながら右側へと徐々にずらせばよい。浴槽１の左側に位置する気密用リブ１７が防水パン２の左側の立ち上がり部２４を超え、かつ、浴槽１の右側に位置する気密用リブ１７がガイド部５のガイド面５ａを超えるまで移動すると、立ち上がり部２４およびガイド部５との干渉状態が脱して浴槽１が自然に落下する。このとき、当該気密用リブ１７をパッキン４０に対して垂直に落し込むことができるから、防水パン２内の気密性をより確実に確保することができる（図８、図１０参照）。
【００４１】
あるいは、作業者が浴槽１を大まかに位置決めした状態で防水パン２上に置いた結果、作業者からみて当該浴槽１が所定の設置位置（図８参照）よりも手前側に位置した状態となった場合（図１１参照）、浴槽１のフランジ部１２裏の気密用リブ１７は、２箇所のガイド部５のそれぞれに干渉した状態（載置した状態）となる。この場合、作業者は、当該浴槽１をスライドさせながら奥側へと徐々にずらせばよい。浴槽１の気密用リブ１７がガイド部５のガイド面５ａを超えるまで移動すると、ガイド部５との干渉状態が脱して浴槽１が自然に落下する。このとき、当該気密用リブ１７をパッキン４０に対して垂直に落し込むことができるから、防水パン２内の気密性をより確実に確保することができる（図８、図１１参照）。
【００４２】
このような浴槽１の設置構造においては、ガイド面５ａの端がパッキン４０の幅方向略中央に位置していることが好ましい。このようなガイド部５は、浴槽１のフランジ部１２裏の気密用リブ１７を、パッキン４０の幅方向略中央にガイドすることができる。例えば本実施形態では、ガイド部５の一部を奥側へ突出させた突出ガイド部５ｂとし（図１２等参照）、当該突出ガイド部５ｂの先端まで浴槽１の気密用リブ１７をガイドし、ガイド面５ａからの落下が許容されたとき、当該気密用リブ１７をパッキン４０の幅方向略中央（図１２中の一点鎖線参照）に落し込むようにしている。この場合、突出ガイド部５ｂはパッキン４０の一部に圧接した状態となるため、当該箇所においてパッキン４０は例えば半分程度の幅にまで潰れた状態となっている。
【００４３】
あるいは、突出ガイド部５ｂのうちパッキン４０よりも高い部分のみを奥側へ突出させた形状としてもよい（図１３参照）。こうした場合、周回するパッキン４０の一部を潰すことなく、突出ガイド部５ｂの先端まで浴槽１の気密用リブ１７をガイドしてパッキン４０の幅方向略中央に落し込むことができる。
【００４４】
上述した浴槽１の設置構造によれば、作業者は、気密用リブ１７の下端がガイド部５のガイド面５ａあるいは防水パン２の立ち上がり部２４に干渉させた状態（仮置きした状態）で浴槽１を所定の設置位置に移動（例えばスライド）させることで、気密用リブ１７の下端がパッキン４０の上面に落下するようにガイドすることが可能である。これによれば、作業者の熟練度や、浴槽１の大きさないし形状といった違い等にかかわらず、当該フランジ部１２裏側の気密用リブ１７をパッキン４０に対して垂直に落し込むことが容易となり、防水パン２内の気密性をより確実に確保することができるようになる。
【００４５】
しかも、設置時、浴槽１は、所定の設置位置に達するまでは、フランジ部１２裏側の気密用リブ１７がガイド部５ないしは立ち上がり部２４に載置された干渉状態にあり、落下が規制されていることから、その間は浴槽１の全体が傾いたり、移動中にがたついたりすることがある。このような不安定な状態にあれば、作業者は浴槽１が所定の設置位置に達していないこと、つまりは浴槽１の設置が完了していないことを容易に認識することができる。
【００４６】
なお、上述の実施形態は本発明の好適な実施の一例ではあるがこれに限定されるものではなく本発明の要旨を逸脱しない範囲において種々変形実施可能である。例えば本実施形態ではガイド部５を２箇所のコーナー部のそれぞれ設けた場合について説明したが、この他、例えばこれら両ガイド部５の間にさらに別のガイド部５を設ける等してもよい（図６等参照）。ただし、浴槽１のフランジ部１２の裏側に裏リブ１８が形成されている場合、ガイド部５はこれら裏リブ１８との干渉を避ける位置および高さに形成されていることが好ましい（図１７等参照）。また、所要の強度を確保しうる範囲で裏リブ１８を狭小化し、ガイド部５の設計に余裕をつくることも好ましい。
【符号の説明】
【００４７】
１：浴槽
２：防水パン
５：ガイド部
５ａ：ガイド面
１１：内槽部
１２：フランジ部
１７：気密用リブ（突出部）
１８：裏リブ
４０：パッキン（気密部材）
２１：防水パンの底面部
２２：囲い壁
２２ａ：上端部
２４：立ち上がり部
２４ａ：上縁
【図１】
2011245132.tif 000003
【図２】
2011245132.tif 000004
【図３】
2011245132.tif 000005
【図４】
2011245132.tif 000006
【図５】
2011245132.tif 000007
【図６】
2011245132.tif 000008
【図７】
2011245132.tif 000009
【図８】
2011245132.tif 000010
【図９】
2011245132.tif 000011
【図１０】
2011245132.tif 000012
【図１１】
2011245132.tif 000013
【図１２】
2011245132.tif 000014
【図１３】
2011245132.tif 000015
【図１４】
2011245132.tif 000016
【図１５】
2011245132.tif 000017
【図１６】
2011245132.tif 000018
【図１７】
2011245132.tif 000019